(57)【要約】【課題】錠装置を格納手段に対して容易に後付けできる技術を提供すること。【解決手段】扉の外面側に取付可能な装置本体部２２と、装置本体部２２に取付けられ、取っ手部を外部に露出及び遮蔽可能なように開閉自在に覆う遮蔽部材３０と、施錠動作に応じて遮蔽部材３０を遮蔽状態にロックし、解錠動作に応じて前記ロックを解除する遮蔽ロック部とを備える。【選択図】図２
2010270590.tif 000002
【特許請求の範囲】
【請求項１】
収納本体部と、前記収納本体部に対して開閉自在とされた開閉部材と、前記開閉部材を閉状態に保つようにロックするラッチ機構と、前記開閉部材の外面側に設けられ、前記ラッチ機構をロック及びロック解除動作させるための操作部とを備えた格納手段に取付けられる錠装置であって、
前記開閉部材の外面側に取付可能な装置本体部と、
前記装置本体部に取付けられ、前記操作部を外部に露出及び遮蔽可能なように開閉自在に覆う遮蔽部材と、
施錠動作に応じて前記遮蔽部材を遮蔽状態にロックし、解錠動作に応じて前記ロックを解除する遮蔽ロック手段と、
を備えた錠装置。
【請求項２】
請求項１記載の錠装置であって、
前記遮蔽ロック手段を施錠及び解錠するためのキーをさらに備え、
前記キーは、利用可否情報を記憶した記憶部と、前記利用可否情報に基づいて認証に関する動作を行う制御部と、電源とを含み、
前記遮蔽ロック手段は、前記キーをセット可能なセット部を有し、前記セット部に前記キーがセットされることで前記キーから電力供給を受けて動作すると共に、前記キーとの間で通信を行って認証動作を行い、利用可と判断された場合に前記遮蔽部材のロックを解除するものである、錠装置。
【請求項３】
請求項２記載の錠装置であって、
前記遮蔽ロック手段は、前記遮蔽部材の開放状態で、前記キーが前記セット部から抜けるのを防止する第１キー抜け防止手段をさらに備えた錠装置。
【請求項４】
請求項２又は請求項３記載の錠装置であって、
前記開閉部材が開かれた状態で、前記キーが前記セット部から抜けるのを防止する第２キー抜け防止手段をさらに備えた錠装置。
【請求項５】
請求項１〜請求項４のいずれかに記載の錠装置であって、
前記遮蔽部材の開閉に関わらず前記操作部を外部に露出可能にするための緊急解除手段をさらに備えた錠装置。
【請求項６】
請求項１〜請求項５のいずれかに記載の錠装置であって、
前記開閉部材の開閉状態を検知する開閉検知センサと、前記開閉検知センサの出力に基づいて前記開閉部材が開かれた時間が予め設定された所定時間を越えたと判断されたときに報知手段を通じて警告を発する警告制御手段とをさらに備えた錠装置。
【発明の詳細な説明】
【技術分野】
【０００１】
この発明は、キャビネット等の格納手段に施解錠機能を追加するための技術に関する。
【背景技術】
【０００２】
ファイル等の格納物を格納するためのキャビネットとして、開閉自在な扉を備えたものがある。このキャビネットの扉には、該扉を閉状態に維持するためのラッチ機構が組込まれている。このラッチ機構は、例えば、扉の取っ手に組込まれた操作レバーの操作に連動してロック状態又はロック解除状態になるように構成されている。
【０００３】
ところで、上記のようなキャビネットに対して、セキュリティ性向上のため、施解錠機能の追加が必要とされることがある。
【０００４】
ここで、引出しに対して後付可能な施錠装置として、特許文献１のように、格納手段の本体にラッチ機構を取付け、そのラッチ機構のロック部材を引出しに係合させることで、引出しの開放を防止するようにしたものがある。
【先行技術文献】
【特許文献】
【０００５】
【特許文献１】特開２００１−３０３８２８号公報
【発明の概要】
【発明が解決しようとする課題】
【０００６】
しかしながら、特許文献１に開示の技術では、格納手段の本体と引出しとの相対的な位置関係を考慮しつつ、ラッチ機構を本体に後付けする必要があるので、その取付けが困難である。
【０００７】
そこで、本発明の課題は、錠装置を格納手段に対して容易に後付けできる技術を提供することにある。
【課題を解決するための手段】
【０００８】
上記課題を解決するため、本発明は、収納本体部と、前記収納本体部に対して開閉自在とされた開閉部材と、前記開閉部材を閉状態に保つようにロックするラッチ機構と、前記開閉部材の外面側に設けられ、前記ラッチ機構をロック及びロック解除動作させるための操作部とを備えた格納手段に取付けられる錠装置であって、前記開閉部材の外面側に取付可能な装置本体部と、前記装置本体部に取付けられ、前記操作部を外部に露出及び遮蔽可能なように開閉自在に覆う遮蔽部材と、施錠動作に応じて前記遮蔽部材を遮蔽状態にロックし、解錠動作に応じて前記ロックを解除する遮蔽ロック手段と、を備えたものである。
【０００９】
この場合に、前記遮蔽ロック手段を施錠及び解錠するためのキーをさらに備え、前記キーは、利用可否情報を記憶した記憶部と、前記利用可否情報に基づいて認証に関する動作を行う制御部と、電源とを含み、前記遮蔽ロック手段は、前記キーをセット可能なセット部を有し、前記セット部に前記キーがセットされることで前記キーから電力供給を受けて動作すると共に、前記キーとの間で通信を行って認証動作を行い、利用可と判断された場合に前記遮蔽部材のロックを解除するものであってもよい。
【００１０】
さらに、前記遮蔽ロック手段は、前記遮蔽部材の開放状態で、前記キーが前記セット部から抜けるのを防止する第１キー抜け防止手段をさらに備えていてもよい。
【００１１】
また、前記開閉部材が開かれた状態で、前記キーが前記セット部から抜けるのを防止する第２キー抜け防止手段をさらに備えた構成であってもよい。
【００１２】
また、前記遮蔽部材の開閉に関わらず前記操作部を外部に露出可能にするための緊急解除手段をさらに備えていてもよい。
【００１３】
また、前記開閉部材の開閉状態を検知する開閉検知センサと、前記開閉検知センサの出力に基づいて前記開閉部材が開かれた時間が予め設定された所定時間を越えたと判断されたときに報知手段を通じて警告を発する警告制御手段とをさらに備えていてもよい。
【発明の効果】
【００１４】
この発明の錠装置によると、開閉部材の外面側に取付可能な装置本体部と、前記装置本体部に取付けられ、前記操作部を外部に露出及び遮蔽可能なように開閉自在に覆う遮蔽部材と、施錠動作に応じて前記遮蔽部材を遮蔽状態にロックし、解錠動作に応じて前記ロックを解除する遮蔽ロック手段とを備えているため、本錠装置を開閉部材の外面側に取付けることで、キー等を用いた施錠又は解錠動作に応じて、操作部を外部に露出させる状態又は遮蔽可能な状態にすることができる。このため、ラッチ機構及び操作部を有する格納手段に対して本錠装置を容易に後付けして、施錠機能を追加することができる。
【００１５】
また、この場合に、前記遮蔽ロック手段を施錠及び解錠するためのキーをさらに備え、前記キーは、利用可否情報を記憶した記憶部と、前記利用可否情報に基づいて認証に関する動作を行う制御部と、電源とを含み、前記遮蔽ロック手段は、前記キーをセット可能なセット部を有し、前記セット部に前記キーがセットされることで前記キーから電力供給を受けて動作すると共に、前記キーとの間で通信を行って認証動作を行い、利用可と判断された場合に前記遮蔽部材のロックを解除するものであると、錠装置自体には、電源を組込むことなく、電子的な錠装置を組込むことができる。従って、より錠装置を容易に組込むことができる。
【００１６】
さらに、前記遮蔽ロック手段は、前記遮蔽部材の開放状態で、前記キーが前記セット部から抜けるのを防止する第１キー抜け防止手段をさらに備えていると、遮蔽部材が開放された状態ではキーが抜けなくなるので、遮蔽部材が開放されたままでキーが抜かれて放置されるといった事態を防止できる。
【００１７】
また、前記開閉部材が開かれた状態で、前記キーが前記セット部から抜けるのを防止する第２キー抜け防止手段をさらに備えていると、開閉部材が開いたままではキーが抜けないため、開閉部材が開いたままキーが抜かれて放置されるといった事態を防止できる。
【００１８】
さらに、前記遮蔽部材の開閉に関わらず前記操作部を外部に露出可能にするための緊急解除手段をさらに備えていると、故障時等にも容易に対処できる。
【００１９】
また、開閉部材の開閉状態を検知する開閉検知センサと、前記開閉検知センサの出力に基づいて前記開閉部材が開かれた時間が予め設定された所定時間を越えたと判断されたときに報知手段を通じて警告を発する警告制御手段とをさらに備えていると、開閉部材が開放されたままでの長期間放置を防止できる。
【図面の簡単な説明】
【００２０】
【図１】錠装置が適用される格納棚を示す斜視図である。
【図２】錠装置及び電子キーを示す斜視図である。
【図３】錠装置に電子キーを差込んだ状態を示す斜視図である。
【図４】錠装置の要部分解斜視図である。
【図５】係止板が遮蔽部材の係止凹部に係止している状態を示す図である。
【図６】係止板が遮蔽部材の長溝内に位置する状態を示す図である。
【図７】図７（ａ）はバネ部材の係止部が係止板に付勢された状態を示す図であり、図７（ｂ）はバネ部材の係止部が係止板に係合した状態を示す図である。
【図８】錠装置と電子キーとの電気的構成を示すブロック図である。
【図９】第１変形例に係る錠装置の電気的構成を示すブロック図である。
【図１０】第２変形例に係る錠装置を示す斜視図である。
【図１１】第２変形例に係る錠装置を示す底面図である。
【図１２】第３変形例に係る錠装置を示す平面図である。
【発明を実施するための形態】
【００２１】
｛実施形態｝
以下、この発明の実施形態に係る錠装置について説明する。
【００２２】
図１は錠装置が適用される格納手段としての格納棚を示す斜視図である。この格納棚１０は、収納本体部１１と、この収納本体部１１に対して開閉自在とされた開閉部材としての扉１２ａ，１２ｂ及び引出し部１４とを備えている。より具体的には、収納本体部１１の上半部に収納スペース１１ａが形成されると共に、収納本体部１１の下半部に３つの収納スペース１１ｂ，１１ｃ，１１ｄが形成されている。収納スペース１１ａの開口部に、両開きタイプの扉１２ａ，１２ｂが開閉自在に取付けられている。また、各収納スペース１１ｂ，１１ｃ，１１ｄには、引出し部１４が開閉自在、換言すれば、引出し及び押込自在に設けられている。
【００２３】
扉１２ａ，１２ｂの合せ目部分は、重なり合って配設されており、一方の扉１２ａを閉じた状態では、他方の扉１２ｂを開くことができない構成となっている。また、一方の扉１２ａには、操作部としての取っ手部１３ａと、ラッチ機構１３ｂとが取付けられている。ラッチ機構１３ｂは、扉１２ａに組込まれ、扉１２ａを閉状態に保つようにロックする機構である。このような機構としては、爪部を収納本体部１１側に係脱自在に係合させるような周知の機構等を採用できる。取っ手部１３ａは、扉１２ａの外面側に姿勢変更自在に取付けられている。この取っ手部１３ａの姿勢変更に連動して、上記ラッチ機構１３ｂがロック及びロック解除動作を行うようになっている。
【００２４】
そして、扉１２ａ，１２ｂを閉じることで、上記ラッチ機構１３ｂが収納本体部１１にロックして扉１２ａ，１２ｂが閉じた状態に保たれる。この状態で、取っ手部１３ａを引張ることで、上記ラッチ機構１３ｂがロック解除状態となり、扉１２ａを開くことができるようになる。また、扉１２ａを開くことで、扉１２ｂも開くことができるようになる。
【００２５】
また、引出し部１４は、上方に開口する筺状に形成されており、その前面に取っ手部１５ａと、操作部としての操作レバー１５ｂと、ラッチ機構１５ｃとが取付けられている。
【００２６】
ラッチ機構１５ｃは、引出し部１４の前面側の部分に組込まれ、引出し部１４を閉じた状態に保つようにロックする機構である。このような機構としては、爪部を収納本体部１１側に係脱自在に係合させるようにした周知の機構等を採用できる。取っ手部１５ａは、引出し部１４を引出し容易にするために設けられた掴み用の部材であり、その内側に上記操作レバー１５ｂが姿勢変更自在に取付けられている。この操作レバー１５ｂの姿勢変更に連動して、上記ラッチ機構１５ｃがロック及びロック解除動作を行うようになっている。
【００２７】
そして、引出し部１４を閉じることで、上記ラッチ機構１５ｃが収納本体部１１にロックして該引出し部１４が閉じた状態に保たれる。この状態で、上記操作レバー１５ｂを掴んで操作することで、ラッチ機構１５ｃが解除状態となり、取っ手部１５ａを掴んで引出し部１４を引出せるようになる。
【００２８】
なお、格納手段は、上記構成に限られない。格納手段の全体が扉にて開閉される構成であってもよいし、また、複数の引出し部のみを有する構成であってもよい。
【００２９】
本錠装置２０は、上記のような格納棚１０における扉１２ａ，引出し部１４の外面側に取付けられる。より具体的には、図１の２点鎖線で示すように、錠装置２０は、扉１２ａにおける取っ手部１３ａを覆う位置と、各引出し部１４における取っ手部１５ａ及び操作レバー１５ｂを覆う各位置に取付けられる。
【００３０】
図２は錠装置及び電子キーを示す斜視図であり、図３は錠装置に電子キーを差込んだ状態を示す斜視図であり、図４は錠装置の要部分解斜視図である。
【００３１】
この錠装置２０は、装置本体部２２と、遮蔽部材３０と、遮蔽ロック部４０とを備えている。
【００３２】
装置本体部２２は、扉１２ａ及び引出し部１４の外面側に取付固定される部材である。取付は、例えば、両面テープやねじ止固定等により行われる。
【００３３】
より具体的には、装置本体部２２は、ベース板２３上に、遮蔽部材３０を開閉自在に支持する支持フレーム２４と、カバー２５とが取付けられてなる。装置本体部２２におけるベース板２３及び支持フレーム２４には窓部２５Ｗが形成されており、この窓部２５Ｗを通じて操作部としての取っ手部１３ａ又は操作レバー１５ｂが外方に露出する構成となっている。
【００３４】
遮蔽部材３０は、上記装置本体部２２に取付けられ、操作部としての取っ手部１３ａ又は操作レバー１５ｂを外部に露出及び遮蔽可能なように開閉自在に覆うように構成されている。
【００３５】
より具体的には、遮蔽部材３０は、上記窓部２５Ｗよりも大きな広がりを持つ略長方形板状の遮蔽本体板部３０ａと、この遮蔽本体板部３０ａの長手方向中間部より延設された延設板部３０ｂとを有し、略Ｔ字板状の全体形状に形成されている。また、延設板部３０ｂには、その長手方向（スライド移動方向）に沿って延びる長溝３０ｃが形成されている。長溝３０ｃの先端部側（延設板部３０ｂに対して遮蔽本体板部３０ａの反対側の端部）には、後述する係止板４６が係止可能な係止凹部３０ｄが形成されている。
【００３６】
この遮蔽部材３０は、上記装置本体部２２におけるベース板２３と支持フレーム２４との間で、所定の遮蔽位置と所定の開放位置間でスライド自在に保持されている。遮蔽部材３０が遮蔽位置に配設された状態で、遮蔽本体板部３０ａが上記窓部２５Ｗを閉塞する位置に配設される。この状態から遮蔽部材３０をカバー２５側の開放位置へスライド移動させると、遮蔽本体板部３０ａが窓部２５Ｗの横側方位置に退避し、窓部２５Ｗが開放された状態になる。なお、この遮蔽本体板部３０ａのスライド移動に連動して、延設板部３０ｂがカバー２５内を進出退避移動する。
【００３７】
遮蔽ロック部４０は、所定の施錠動作に応じて上記遮蔽部材３０を遮蔽状態にロックし、また、解錠動作に応じて前記ロックを解除するように構成されている。
【００３８】
より具体的には、遮蔽ロック部４０は、電子キー６０をセット可能なセット部４２と、ロック機構４４と、錠側制御基板５３とを備えている。
【００３９】
セット部４２は、電子キー６０を差込み可能な凹形状を有しており、このセット部４２内に電子キー６０が一定姿勢で保持される。セット部４２には、電子キー６０からの電力供給を受ける受電端子４２ａと、電子キー６０との間で通信を行うための通信部４２ｂとが配設されている。受電端子４２ａは、錠側制御基板５３及び後述するソレノイド４５に電気的に接続されている。通信部４２ｂは、錠側制御基板５３に接続されている。
【００４０】
錠側制御基板５３には、マイコンチップ等が実装されており、錠側制御部５４として機能する電子回路が組込まれている。錠側制御部５４は、電子キー６０からの電力供給を受けて動作し、該電子キー６０との間で通信を行って後述する所定の処理を実行する。
【００４１】
ロック機構４４は、錠側制御部５４の制御に応じて遮蔽部材３０をロック又はロック解除するように構成されている。
【００４２】
より具体的には、ロック機構４４は、ソレノイド４５と、ソレノイド４５に対して接近離隔移動自在に支持された係止板４６と、電子キー６０の挿抜に連動して移動する可動板４７及び押え付けバネ部材４８とを有し、上記カバー２５内に配設されている。
【００４３】
ソレノイド４５は、錠側制御部５４の制御下、電子キー６０からの電力供給を受けて動作する。また、係止板４６は、磁石に吸着する磁性材料によって形成された部材であり、スライド支持手段である支持ロッド４６ａによってソレノイド４５に近い非係止位置とソレノイド４５から遠い係止位置との間で接近離隔移動自在に支持されている。また、係止板４６は、コイルバネ等の付勢手段４６ｂによってソレノイド４５から離反する方向に付勢されている。
【００４４】
そして、通常状態では、図５に示すように、付勢手段４６ｂの付勢力によって、係止板４６は係止位置に配設され、遮蔽部材３０に形成された係止凹部３０ｄに係止している。これにより、遮蔽部材３０が開放不能な状態となっている。
【００４５】
この状態で、ソレノイド４５が通電により励磁状態になることで、図６に示すように、係止板４６が非係止位置に引寄せられる。これにより、長溝３０ｃ内で係止板４６を移動させるようにして、遮蔽部材３０をスライド移動させて窓部２５Ｗを開放させることができる。
【００４６】
また、可動板４７は、電子キー６０の挿脱に伴いスライド移動自在に配設されいてる。すなわち、電子キー６０を挿入すると、その電子キー６０の一部分６０ａと可動板４７の一側片４７ａとが摺接することにより、可動板４７は、バネ等の付勢手段４７ｂの付勢力に抗してスライド移動する。また、可動板４７にバネ部材４８が取付けられている。バネ部材４８の先端部は、略Ｌ字状に２箇所屈曲された仮止部４８ａに形成されている。
【００４７】
そして、電子キー６０を挿入すると、これに連動して可動板４７及びバネ部材４８が移動し、図７（ａ）に示すように、仮止部４８ａの屈曲部分が係止位置にある係止板４６の側部に付勢される。この状態で、ソレノイド４５の励磁駆動により、係止板４６が非係止位置に移動すると、図７（ｂ）に示すように、仮止部４８ａの屈曲部分が係止板４６に係合するようになる。この後、ソレノイド４５が非励磁状態になっても、仮止部４８ａと係止板４６との係合により、係止板４６は非係止位置に保たれる。従って、ソレノイド４５による非継続的な一度の励磁動作により、係止板４６が非係止位置に維持され、遮蔽部材３０を開放可能な状態が維持される。
【００４８】
また、この状態から電子キー６０を抜くと、付勢手段４７ｂの付勢力によって可動板４７及びバネ部材４８が上記とは逆方向に移動する。これにより、仮止部４８ａの屈曲部分と係止板４６との係合が解除され、係止板４６が係止位置に移動する。これにより、遮蔽部材３０のロック状態に復帰することになる。
【００４９】
また、この錠装置２０には、遮蔽部材３０の開放状態で、電子キー６０がセット部４２から抜けるのを防止する第１キー抜け防止手段として、キー抜け防止板５０が設けられている。キー抜け防止板５０は、長尺板形状を有しており、その一端部が揺動自在に支持されている。また、キー抜け防止板５０の他端部には、電子キー６０に形成された係止凹部６０ｂに係脱自在な抜止突部５１ａと、遮蔽部材３０の延設板部３０ｂの先端縁部と摺接自在な摺接突部５１ｂとが形成されている。さらに、キー抜け防止板５０は、ねじりコイルバネ等の付勢手段５０ａによって、上記抜止突部５１ａを電子キー６０の係止凹部６０ｂから離間させる方向に付勢されている。
【００５０】
そして、解錠動作として電子キー６０を差込んだ状態で、窓部２５Ｗを開放させるべく遮蔽部材３０をスライド移動させると、延設板部３０ｂの先端縁部が摺接突部５１ｂに摺接する。これにより、キー抜け防止板５０が揺動して、抜止突部５１ａが電子キー６０の係止凹部６０ｂに係合し、電子キー６０が抜けない状態となる。
【００５１】
また、上記状態から窓部２５Ｗを閉じるべく遮蔽部材３０をスライド移動させると、延設板部３０ｂと摺接突部５１ｂとの摺接が解除され、付勢手段５０ａの付勢力によって、抜止突部５１ａが電子キー６０の係止凹部６０ｂから離間し、それらの係合が解除される。これにより、施錠動作としてセット部４２から電子キー６０を抜くことができるようになる。
【００５２】
図８は錠装置と電子キーとの電気的構成を示すブロック図である。
【００５３】
すなわち、電子キー６０は、電子的な認証によって錠装置２０を施錠及び解錠するためのものであり、キー側制御部６２と記憶部６３と電源６４とを有している。なお、この電子キー６０は、利用者に応じた利用可否情報を書込んだ状態で、格納棚１０の利用者に対して発行される。
【００５４】
キー側制御部６２は、ＣＰＵ、ＲＯＭおよびＲＡＭ等を備える一般的なマイクロコンピュータにより構成され、その演算動作はすべて予め格納されたソフトウェアプログラムによって実行される要素である。このキー側制御部６２には、利用可否情報を記憶した記憶部６３が組込まれており、電子キー６０が上記セット部４２にセットされると、通信部６５を介して錠側制御部５４との間で通信を行って、認証に関する所定の処理を実行する。なお、記憶部６３は、キー側制御部６２とは別構成とされていてもよい。
【００５５】
電源６４は、一般的な電池、好ましくは、充電池であり、キー側制御部６２等の電源として機能する。また、電子キー６０がセット部４２にセットされた状態では、給電端子６６及び受電端子４２ａを介して錠装置２０側に給電を行い、錠側制御部５４及びソレノイド４５の電源として機能する。
【００５６】
錠装置２０は、錠側制御部５４と記憶部５５とを有している。錠側制御部５４は、ＣＰＵ、ＲＯＭおよびＲＡＭ等を備える一般的なマイクロコンピュータにより構成され、その演算動作はすべて予め格納されたソフトウェアプログラムによって実行される要素である。この錠側制御部５４には、上記認証動作に必要な所定の情報を記憶した記憶部５５が組込まれている。そして、電子キー６０が上記セット部４２にセットされると、上記電子キー６０との間で通信を行って、認証に関する所定の処理を実行する。そして、認証結果が利用可である場合に、スイッチ部５６を一時的にオンにしてソレノイド４５に通電可能な状態にする。なお、記憶部５５は、錠側制御部５４とは別構成とされていてもよい。
【００５７】
そして、電子キー６０をセット部４２にセットすると、給電端子６６及び受電端子４２ａを介して、電源６４から錠側制御部５４に給電がなされる。そして、通信部４２ｂ，６５を介して、電子キー６０のキー側制御部６２と錠側制御部５４との間で通信がなされる。ここでは、通信は、電波通信又は光通信等により行われ、好ましくは、FeliCa等に適用される無線通信により行われる。そして、キー側制御部６２と錠側制御部５４との間で通信を行うことで、該当する格納棚１０での使用可か否かに関して所定の認証動作がなされる。
【００５８】
ここでの認証処理としては周知の種々の方式を採用できるが、そのうちの一つを例示すると次のような処理である。すなわち、キー側制御部６２の記憶部６３には、複数の格納棚１０（或は対象格納場所）の識別符号と各格納棚１０の利用可否とを対応づけたテーブルが記憶されている。また、錠側制御部５４には、格納棚１０（或は対象格納場所）の識別符号が記憶されている。そして、電子キー６０がセット部４２にセットされることで、錠側制御部５４からキー側制御部６２に、格納棚１０の識別符号が与えられる。これにより、キー側制御部６２は、前記テーブルを参照して格納棚１０の利用可否を判断する。利用可と判断された場合に、利用許可指令を錠側制御部５４に与える。この指令を受けて、錠側制御部５４は、スイッチ部５６をオンにして、ソレノイド４５を励磁させる。これにより、遮蔽部材３０が開放可能な状態となる。
【００５９】
なお、上記認証処理の他、例えば、キー側制御部６２から錠側制御部に利用可否情報を与え、錠側制御部５４で利用可否を判断するようにしてもよい。要するに、電子キー６０側の記憶部６３に記憶された利用可否情報に基づいて、キー側制御部６２と錠側制御部５４との通信を通じて利用可否を決定する種々の認証動作を採用することができる。
【００６０】
このように構成された錠装置２０では、次のようにして利用がなされる。すなわち、利用者が発行された電子キー６０を持ち、この電子キー６０を、利用を希望する格納棚１０（或は格納場所）に取付けられた錠装置２０のセット部４２にセットする。すると、キー側制御部６２と錠側制御部５４との相互通信により認証動作が行われ、利用可と判断された場合には、ソレノイド４５が励磁され、遮蔽部材３０が開放可能な状態となる。この状態で、手で遮蔽部材３０を開放させると、操作部としての取っ手部１３ａ又は操作レバー１５ｂが外部に露出し、それらを掴んで扉１２ａを開いたり、引出し部１４を引出したりして利用することができるようになる。なお、この状態では、キー抜け防止板５０の抜止突部５１ａと電子キー６０の係止凹部６０ｂとの係合により、電子キー６０の抜け防止が図られている。
【００６１】
また、格納棚１０の利用終了後、手で遮蔽部材３０を閉じると、キー抜け防止板５０の抜止突部５１ａと電子キー６０の係止凹部６０ｂとの係合が解除される。これにより、電子キー６０をセット部４２から抜けるようになる。電子キー６０をセット部４２から抜くと、係止板４６が遮蔽部材３０の係止凹部３０ｄに係止するようになり、遮蔽部材３０が開放不能な状態に復帰する。
【００６２】
以上のように構成された錠装置２０によると、開閉部材としての扉１２ａ及び引出し部１４の外面側に取付可能な装置本体部２２と、装置本体部２２に取付けられ、操作部としての取っ手部１３ａ又は操作レバー１５ｂを外部に露出及び遮蔽可能なように開閉自在に覆う遮蔽部材３０と、施錠動作に応じて遮蔽部材３０を遮蔽状態にロックし、解錠動作に応じて前記ロックを解除する遮蔽ロック部４０とを備えているため、本錠装置２０を扉１２ａ及び引出し部１４の外面側に取付けることで、電子キー６０を用いた施錠又は解錠動作に応じて、遮蔽部材を開閉可能な状態又は遮蔽した状態に維持する状態にすることができる。このため、格納棚１０に対して本錠装置２０を容易に後付けして、施錠機能を追加することができる。
【００６３】
また、遮蔽ロック部４０を施錠及び解錠するための電子キー６０をさらに備え、電子キー６０は、利用可否情報を記憶した記憶部６３と、利用可否情報に基づいて認証動作を行うキー側制御部６２と、電源６４とを含み、遮蔽ロック部４０は、電子キー６０をセット可能なセット部４２を有し、このセット部４２に電子キー６０がセットされることで電子キー６０から電力供給を受けて動作すると共に、電子キー６０との間で通信を行って認証動作を行い、利用可である場合に遮蔽部材３０のロックを解除するものであると、錠装置２０自体には電源６４を組込むことなく、電子的な錠装置２０を組込むことができる。従って、電源配線等を敷設することなく、錠装置２０を容易に格納棚１０に組込むことができる。
【００６４】
なお、本実施形態では、遮蔽ロック部４０が電子キー６０を用いて施解錠を行う場合について説明したが、その他、遮蔽ロック部４０は、機械式のシリンダ錠機構や、暗証番号式の錠機構を有し、それらに対する施錠動作又は解錠動作に応じて遮蔽部材３０をロックし又はロック解除する構成であってもよい。
【００６５】
さらに、本錠装置２０は、遮蔽部材３０の開放状態で、電子キー６０がセット部４２から抜けるのを防止するキー抜け防止板５０を備えているため、遮蔽部材３０が開放されたままの状態では電子キー６０を抜くことができなくなる。このため、遮蔽部材３０が開放されたままの状態で、電子キー６０が抜かれて放置されるといった事態を有効に防止できる。
【００６６】
なお、このような錠装置２０の使用形態としては、既に所定の設置場所に設置された格納棚１０に対して、その設置場所で本錠装置２０を後付けする態様が考えられる。あるいは、予め錠装置２０を組込まない錠装置２０を製造しておき、ユーザーからの要望に応じて、錠装置２０を組込まない格納棚１０を所定の設置場所に据付けたり、或は、錠装置２０を組込んだ格納棚１０を所定の設置場所に据付ける態様等が考えられる。これにより、ユーザの要望等に容易かつ柔軟に対応可能というメリットがある。
【００６７】
また、本発明は、錠機能を持たない格納棚１０に追加する例に限られない。例えば、シリンダ錠付の格納棚に対して、例えば、電子認証タイプのキーやより安全性の高い錠など別の錠装置２０を追加したい場合にも、本発明は適用可能である。この場合には、遮蔽部材３０は、操作部として既存の鍵穴を開閉自在に覆う形態であってもよい。つまり、操作部は、扉や引出し等のロック機構をロック又はロック解除するための諸操作要素を含む。さらに、上記取っ手部１３ａや操作レバー１５ｂとは別の位置に、ラッチ機構１３ｂ，１５ｃをロック状態に維持する錠装置等が組込まれた構成においては、それらの取っ手部１３ａや操作レバー１５ｂ、或は、錠装置のうちのいずれに取付けるようにした構成であってもよい。
【００６８】
｛変形例｝
図９は第１変形例を示すブロック図である。この第１変形例では、上記錠装置２０に、開閉部材としての開閉部材としての扉１２ａ，１２ｂ及び引出し部１４が開かれた状態で、電子キー６０がセット部４２から抜けるのを防止する構成、及び、それらが開かれた状態で所定時間経過すると警告を発する構成を付加した例を説明する。
【００６９】
すなわち、この第１変形例に係る錠装置２０Ｂでは、開閉検知センサ１１０、報知部１１２及びキー抜けロック機構１１４をさらに備えている。
【００７０】
開閉検知センサ１１０は、扉１２ａ，１２ｂや引出し部１４の開閉状態を検出するセンサであり、光センサやマイクロスイッチ等により構成されている。この開閉検知センサ１１０の検知出力は、錠側制御部５４に与えられる。
【００７１】
報知部１１２は、発光ダイオード等の発光手段やスピーカ、ブザー等の発音体により構成されている。そして、錠側制御部５４の駆動制御に応じて発光や発音等の報知動作を行う。
【００７２】
キー抜けロック機構１１４は、爪部等の係合片を、ソレノイド等のアクチュエータの駆動によって、電子キー６０に形成した所定の係合部位（凹部等）に係脱等させることによって、電子キー６０をロック又はロック解除可能に構成したものである。このキー抜けロック機構１１４の動作も、錠側制御部５４によって制御される。
【００７３】
そして、錠側制御部５４は、開閉検知センサ１１０からの検知出力に基づいて、扉１２ａ，１２ｂ又は引出し部１４が開かれた状態であると判断すると、キー抜けロック機構１１４をロック状態にして電子キー６０の抜けを防止する。一方、錠側制御部５４は、それらが閉じられた状態であると判断すると、キー抜けロック機構１１４をロック解除状態にして電子キー６０を抜けるようにする。
【００７４】
つまり、ここでは、開閉検知センサ１１０，錠側制御部５４及びキー抜けロック機構１１４とが、第２キー抜け防止手段として機能している。もっとも、上記第１キー抜け防止手段としてのキー抜け防止板５０と同様に、扉１２ａ，１２ｂや引出し部１４の開閉状態に機械的に連動して電子キー６０をロック又はロック解除する構成であってもよい。
【００７５】
また、錠側制御部５４は、開閉検知センサ１１０からの検知出力に基づいて、開閉部材としての扉１２ａ，１２ｂや引出し部１４が開かれたままとなっている時間が予め設定された時間を越えたと判断されたときに、上記報知部１１２を通じて警告を発する。つまり、ここでは、錠側制御部５４が警告制御手段として機能している。なお、扉１２ａ，１２ｂや引出し部１４が開かれたままとなっている時間が予め設定された時間と同じになった時には、警告を発する処理又は発しない処理のいずれを行ってもよい。
【００７６】
この第１変形例によると、扉１２ａ，１２ｂや引出し部１４が開かれたままでは電子キー６０が抜けないようになっているため、それらが開かれたまま遮蔽部材３０のみが閉じられて電子キー６０が抜かれてしまうといった事態を防止できる。
【００７７】
また、扉１２ａ，１２ｂや引出し部１４が開かれたまま所定時間を越えたと判断されたときに、警告を発するようにしているため、それらが開かれたまま長時間放置されるといった事態を有効に防止できる。
【００７８】
図１０は第２変形例を示す斜視図であり、図１１は第２変形例を示す底面図である。
【００７９】
この第２変形例に係る錠装置２０Ｃでは、装置本体部２２の底面に、２つの溝部２１０を形成している。各溝部２１０は、装置本体部２２の両側部に開口している。
【００８０】
この装置本体部２２の裏面（図１１の車線部分参照）は、両面テープや接着剤等により、扉１２ａ，１２ｂや引出し部１４の外面に接着されている。
【００８１】
そして、装置本体部２２が扉１２ａ，１２ｂや引出し部１４の外面に接着された状態で、マイナスドライバーの刃先やその他棒状部材の工具を、装置本体部２２の両側部から溝部２１０内に差込んで、その基端側を持上げる。すると、テコの原理にて、装置本体部２２が扉１２ａ，１２ｂや引出し部１４の外面からはがされる。
【００８２】
なお、溝部２１０の開口部には、錠装置２０Ｂの不正な取外しを防止するため、図１０の２点鎖線に示すように、シール等による封印２１２を施しておくことが好ましい。
【００８３】
図１２は第３変形例を示す平面図である。
【００８４】
この第３変形例に係る錠装置２０Ｄでは、装置本体部２２の四隅近傍に、取付具２２０が取付けられている。この取付具２２０は、例えば、シリンダー機構を有し、鍵を鍵穴に差込んで回すことで、シリンダ錠の前後で装置本体部２２と扉１２ａ，１２ｂ又は引出し部１４とを挟持状に保持する構成となっている。
【００８５】
これらの第２及び第３変形例では、上記工具や鍵等を用いて、装置本体部２２を扉１２ａ，１２ｂ又は引出し部１４から取外すと、操作部としての取っ手部１３ａ又は操作レバー１５ｂが外方に露出する。このため、仮に、錠装置２０Ｃ，２０Ｄに故障等の不具合が生じて遮蔽部材３０が開かない状態になったとしても、装置本体部２２を強制的に取外して容易に対処して格納棚１０を利用できる。
【００８６】
なお、第２変形例では、溝部２１０が緊急解除手段として機能し、第３変形例では、取付具２２０が緊急解除手段として機能している。
【符号の説明】
【００８７】
１０  格納棚
１２ａ，１２ｂ  扉
１３ａ  取っ手部
１３ｂ  ラッチ機構
１４  引出し部
１５ｂ  操作レバー
１５ｃ  ラッチ機構
２０，２０Ｂ，２０Ｃ，２０Ｄ  錠装置
２２  装置本体部
２５Ｗ  窓部
３０  遮蔽部材
４０  遮蔽ロック部
４２  セット部
４４  ロック機構
４５  ソレノイド
５０  キー抜け防止板
５４  錠側制御部
５５  記憶部
６０  電子キー
６０ｂ  係止凹部
６２  キー側制御部
６３  記憶部
６４  電源
１１０  開閉検知センサ
１１２  報知部
１１４  キー抜けロック機構
２１０  溝部
２２０  取付具
【図１】
2010270590.tif 000003
【図２】
2010270590.tif 000004
【図３】
2010270590.tif 000005
【図４】
2010270590.tif 000006
【図５】
2010270590.tif 000007
【図６】
2010270590.tif 000008
【図７】
2010270590.tif 000009
【図８】
2010270590.tif 000010
【図９】
2010270590.tif 000011
【図１０】
2010270590.tif 000012
【図１１】
2010270590.tif 000013
【図１２】
2010270590.tif 000014